(57)【特許請求の範囲】
【請求項１】
匂い発生カプセルを発熱部位に取り付けるための取付用ホルダーにおいて、その発熱部位に固定されるベース板に、そのベース板上に載置された匂い発生カプセルをその上面から押さえ付けて固定すべくそのベース板の周縁部の一部から起立してそのベース板の中央付近に延びる押付片を備えるとともに上記ベース板の周縁部に、これを発熱部位のボルト頂部に取り付けるべく複数のクランプ片を環状に備えたことを特徴とする匂い発生カプセルの取付用ホルダー。
【発明の詳細な説明】
【０００１】
【発明の属する技術分野】
本発明は、電気機器等の過熱事故の発生を匂いによって知らせることができる熱反応型の匂い発生カプセルに係り、特にその匂い発生カプセルを発熱部位に容易に脱着できる取付用ホルダーに関するものである。
【０００２】
【従来の技術】
従来、電気設備や家電機器等にあっては、負荷の増大や接触不良あるいは漏電等によって過電流が流れて機器の温度が異常に高くなり、これが原因で故障を起こしたり、火災等の甚大な過熱事故を招くことがある。
【０００３】
このような過熱事故を未然に防止する方法としては、例えば、予め発熱が予想される部位に対して、温度上昇により変色する変色テープを貼り付けておき、その変色の有無を視認することで異常発熱現象を検知する方法が提案されているが、この方法では、常に変色テープを監視する必要性が強いられる上に、機器内部の局所的な異常発熱現象に対してはこれを正確に把握できないといった欠点がある。
【０００４】
また、同じく予め発熱が予想される部位に対して電気熱抵抗型の温度センサー等を取り付けておき、警告音等によって異常発熱現象の発生を知らせる方法も考えられるが、このような温度センサーは一般に高価であり、しかも、その取付に際しては多くの温度センサーや配線及び警報機器を付設する必要があり、コストの点から実用的でない。
【０００５】
そのため、最近では、アルコール類等の匂い発生物質を樹脂製のカプセルや樹脂テープまたはチューブ内に封入し、これを予め発熱が予想される部位に取り付けておき、発熱によってその匂い発生物質を封入しているカプセル等が溶けて内部の匂い発生物質が発散しその匂いの有無を近くにいる人間が直接、或いはガス検出装置等を用いて間接的に感知することで異常過熱現象の発生を検知する方法が提案されている（特開平５−１８８３１号，特開平６−６６６４６号，特開平６−６６６４７号等）。
【０００６】
【発明が解決しようとする課題】
ところで、このような匂い発生カプセルを監視対象となる発熱部位に取り付ける方法としては、その匂い発生カプセルを発熱部位上に接着剤で直接固定する方法やビス等を用いてメカニカル的に取り付ける方法が提案されているが、これらの取付方法では、作動後や使用期限が過ぎた旧い匂い発生カプセルを新たに交換する際の取り外し作業が面倒となるといった不都合がある。
【０００７】
そのため、予め匂い発生カプセルに磁石を貼り付け、あるいは埋め込んでおき、磁力によって発熱部位に吸着させて交換作業を容易にする方法も考えられているが、発熱部位が銅やアルミ，ステンレス等の非磁性材料の場合には適用できない。
【０００８】
そこで、本発明はこのような課題を有効に解決するために案出されたものであり、その目的は、匂い発生カプセルの発熱部位への取付け取外し作業を極めて容易に行うことができる新規な匂い発生カプセルの取付用ホルダーを提供するものである。
【０００９】
【課題を解決するための手段】
上記課題を解決するために本発明は、匂い発生カプセルをボルトの頂部に取り付けるための取付用ホルダーにおいて、発熱部位に固定されるベース板に、そのベース板上に載置された匂い発生カプセルをその上面から押え付けて固定すべくそのベース板の周縁部の一部から起立してそのベース板の中央付近に延びる押付片を備えたものである。
【００１０】
従って、このベース板を予め監視対象となる発熱部位上に固定しておき、そのベース板上に横方向からスライドさせるように匂い発生カプセルを載置させれば、その匂い発生カプセルがその上方から押付片によってベース板上に押さえ付けられるように固定されるため、容易にその発熱部位上に取り付けることができる。また、このようにして取り付けられた匂い発生カプセルを交換等する際には、そのままベース板上から横方向にスライド移動させれば押付片による押え付けが解除されるため、容易に取り外すことができる。
【００１１】
また、上記ベース板の周縁部に、これを発熱部位のボルト頂部に取り付けるべく複数のクランプ片を環状に備えているので、発熱部位のボルト頂部であっても容易に匂い発生カプセルを取り付けることができる。
【００１２】
【発明の実施の形態】
次に、本発明を実施する好適一形態を添付図面を参照しながら説明する。
【００１３】
図１及び図２は本発明に係る匂い発生カプセルの取付用ホルダー１の実施の一形態を示したものであり、図中２はこの取付用ホルダー１に取り付けられるボタン電池型の匂い発生カプセル、３はこの取付用ホルダー１を取り付ける六角ボルト頭部である。
【００１４】
図示するように、この取付用ホルダー１は、発熱部位に位置するボルト３の頂部に接するように位置する円板状のベース板４に、その周縁部から上方に起立してそのベース板４の中央付近に延びるコ字形の押付片５が備えられており、このベース板４と押付片５とによってボタン電池型の匂い発生カプセル２を上下から挟持するようにしてこれをベース板４上に取り付けるようになっている。より具体的には、この押付片５はベース板４方向にバネ状に付勢した可撓性を有すると共に、その先端付近にはベース板４側に突出した凸部６が形成されており、この凸部６によって匂い発生カプセル２の上面側をベース板４側に強制的に押え付けることで匂い発生カプセル２を固定するようになっている。
【００１５】
また、このベース板４の周縁部であって押付片５を除く部分には、これより径方向に突出してから下方に屈曲しその中心方向に延びる可撓性の５つのクランプ片７，７，７，７，７が設けられており、これら各クランプ片７，７，７，７，７がボルト３の各側面に圧接することでベース板４をボルト３頂部に確実に固定するようになっている。
【００１６】
ここでこの取付用ホルダー１、すなわちベース板４，押付片５，各クランプ片７，７，７，７，７を構成する材料としては、特に限定されるものでなく、金属やプラスチック等の公知の材料をそのまま適用することができるが、耐食性や製作コスト，熱伝導性等を考慮すると金属材料が好ましく、例えば、真鍮，ステンレス，洋白，燐青銅，バネ鋼等を用いることが望ましい。
【００１７】
そして、このような構成をした取付用ホルダー１にあっては、図示するように、匂い発生カプセル２をベース板４の上面に対してその横方向からスライドさせるように位置させれば、ベース板４の上面に達すると同時にその匂い発生カプセル２の上面が押付片５によってベース板４側にバネ力によって押え付けられるようになるため、振動等の外力が加わったり、あるいはこのボルト３の頂部が傾いていたり、下方に向いている状態であっても確実にその匂い発生カプセル２を保持することが可能となる。
【００１８】
一方、このようにして取り付けられた匂い発生カプセル２を新たなものに交換するに際しては、押付片５で押え付けられた状態の匂い発生カプセル２をそのまま手で摘んで横方向にスライド移動させるだけで極めて容易に取り外すことができ、迅速に新たな匂い発生カプセル２を取り付けることができる。
【００１９】
このように本発明の取付用ホルダー１を用いれば、従来の如く接着剤やビス等を用いて匂い発生カプセル２を発熱部位に対して取り付ける必要がなくなるため、その匂い発生カプセル２の取り付け・取り外しといった煩わしい交換作業を極めて容易かつ短時間で行うことができる。また、発熱部位の熱はこのベース板４を介して確実に匂い発生カプセル２に伝達するため、その機能を阻害するおそれはないことはいうまでもない。
【００２０】
尚、本実施の形態では、発熱部位のボルト３頭部に対して取り付ける例で示したが、本発明はこれに限定されるものでなく、ボルト３以外の突起部に対しても同様に適用できることは勿論である。また、発熱部位がフラットな状態である場合には、このクランプ片７，７，７，７，７を省略し、ベース板６を直接、熱伝導性に優れた接着剤、例えばヒートシンクの熱伝導率の高いシリコンパテ等を用いて直接接着させたり、ベース板４の下面に吸盤やマグネットを設けたり、脱着自在なマグネットテープを用いて固定させるようにしても良い。また、匂い発生カプセル２として、ボタン電池型以外の形状のもの、例えば円筒状のものを用いた場合には、押付片５をその形状に合わせて適宜変形させることで他の形状であっても確実に保持することが可能となる。
【００２１】
【発明の効果】
以上要するに本発明によれば、発熱部位に対する匂い発生カプセルの取り付けのみならず取り外し作業も極めて容易に実施できるため、匂い発生カプセルの取付や交換作業に要する時間や労力等を大幅に削減することができる等といった優れた効果を発揮する。
【図面の簡単な説明】
【図１】本発明に係る取付用ホルダーの実施の一形態を示す側面図である。
【図２】本発明に係る取付用ホルダーの実施の一形態を示す平面図である。
【符号の説明】
１  取付用ホルダー
２  匂い発生カプセル
３  ボルト頭部（発熱部位）
４  ベース板
５  押付片
６  凸部
７  クランプ片
【図１】
0004370734.tif 000002
【図２】
0004370734.tif 000003